(57)【要約】【課題】携帯電話等を所持していない特定の者との遭遇を他の者が望まない場合、特定の者の接近を他の者に通知することができるようにする。【解決手段】通知システム１は、登録者を特定するために登録された情報と、撮影装置２からの情報とを用いた個人認証により登録者の存在が特定され、特定された登録者に関する通知の指定がなされた通知者を抽出する。通知システム１は、少なくとも登録者と抽出された通知者との位置関係が設定さる条件を満たす間、最新位置関係に関する情報を含めて、通知者の携帯機器３に継続的な通知を行う。【選択図】図１
2020170234.tif 000002
【特許請求の範囲】
【請求項１】
登録者を特定するために登録された情報と、撮影装置からの情報とを用いた個人認証により前記登録者の存在が特定された際、該特定された前記登録者に関する通知の指定がなされた通知者を抽出する通知先抽出部と、
少なくとも特定された前記登録者と抽出された前記通知者との位置関係が設定さる条件を満たす間、最新の前記位置関係に関する情報を含めて、抽出された前記通知者の携帯機器に継続的な通知を行う通知者連絡部と
を備える
通知システム。
【請求項２】
前記通知者連絡部は、前記位置関係が設定さる条件を満たさなくなった後で、かつ、前記位置関係が設定さる条件を満たさない期間が定められた期間継続した後に、前記抽出された前記通知者の携帯機器への継続的な通知を終了する
請求項１に記載の通知システム。
【請求項３】
前記通知システムは、
前記登録者を特定するために登録された登録者情報と、撮影装置からの情報とを用いた個人認証により前記登録者の存在を特定する登録者特定部と、
前記登録者特定部により特定された前記登録者を撮影した前記撮影装置の位置に基づき、特定された前記登録者の位置の決定を行う登録者位置決定部と、
前記通知者の位置の決定を行う通知者位置決定部と
をさらに備え、
前記通知者連絡部は、前記登録者位置決定部により決定された前記登録者の位置と、前記通知者位置決定部により決定された前記通知者の位置とを用いて、前記位置関係を求める
請求項１または請求項２のいずれかに記載の通知システム。
【請求項４】
前記通知システムは、
前記通知者を特定するために登録された通知者情報と、撮影装置からの情報とを用いた個人認証により前記通知者の存在を特定する通知者特定部
をさらに備え、
前記通知者位置決定部は、前記通知者特定部により特定された前記通知者を撮影した撮影装置の位置に基づき、特定された前記通知者の位置の決定を行う
請求項３に記載の通知システム。
【請求項５】
前記登録者特定部および前記通知者特定部における個人認証は、顔認証、歩容認証、採光認証の１つまたは複数の認証技術である
請求項４に記載の通知システム。
【請求項６】
前記通知システムは、
前記通知者連絡部が前記通知者の携帯機器に通知を行っている間、前記登録者、前記通知者以外の警備者の機器に通知を行う警備者連絡部
をさらに備える
請求項１から請求項５のいずれか一項に記載の通知システム。
【請求項７】
前記警備者連絡部は、前記通知者の位置に基づき、通知を行う警備者を決定する
請求項６に記載の通知システム。
【請求項８】
前記警備者連絡部は、前記通知者連絡部による前記通知者の携帯機器に対する通知において、該携帯機器からの応答がない場合、警告情報を前記警備者の機器に通知する
請求項７に記載の通知システム。
【請求項９】
登録者を特定するために登録された情報と、撮影装置からの情報とを用いた個人認証により前記登録者の存在が特定された際、該特定された前記登録者に関する通知の指定がなされた通知者を抽出し、
少なくとも特定された前記登録者と抽出された前記通知者との位置関係が設定さる条件を満たす間、最新の前記位置関係に関する情報を含めて、抽出された前記通知者の携帯機器に継続的な通知を行う
通知方法。
【請求項１０】
登録者を特定するために登録された情報と、撮影装置からの情報とを用いた個人認証により前記登録者の存在が特定された際、該特定された前記登録者に関する通知の指定がなされた通知者を抽出し、
少なくとも特定された前記登録者と抽出された前記通知者との位置関係が設定さる条件を満たす間、最新の前記位置関係に関する情報を含めて、抽出された前記通知者の携帯機器に継続的な通知を行う
ことをコンピュータに実行させるための通知用コンピュータプログラム。
【発明の詳細な説明】
【技術分野】
【０００１】
本発明は、通知システム、通知方法及び通知用コンピュータプログラムに関する。
【背景技術】
【０００２】
つきまとい等の迷惑行為を行う人物に対して、迷惑行為を受けている人物との遭遇を防止するために活用されるシステムが存在する。このようなシステムに関する技術として、迷惑行為を行う人物の所有する携帯電話と、迷惑行為を受けている人物の所有する携帯電話の位置情報を利用するシステムが特許文献１に開示されている。特許文献１に開示のシステムでは、これらの者が一定距離範囲内となった際、迷惑行為を受けている人物にメールを発信する。
【先行技術文献】
【特許文献】
【０００３】
【特許文献１】特開２００６−０９３７８６号公報
【発明の概要】
【発明が解決しようとする課題】
【０００４】
ところで、迷惑行為を行う人物は、常に携帯電話等の位置を特定することが可能な機器を所有しているとは限らない。この場合、迷惑行為を行う人物が携帯電話等を所持していないと迷惑行為を行う人物の位置を特定することができない。結果として、迷惑行為を行う人物が迷惑行為を受けている人の近くにいても、迷惑行為を受けている人に迷惑行為を行うものの接近を通知することができない。すなわち、携帯電話等を所持していない特定の者との遭遇を他の者が望まない場合、特定の者の接近を他の者に通知することができない。そこで本発明は、上述の課題を解決する通知システム、通知方法及び通知用コンピュータプログラムを提供することを目的としている。
【課題を解決するための手段】
【０００５】
本発明の第１の態様によれば、通知システムは、登録者を特定するために登録された情報と、撮影装置からの情報とを用いた個人認証により前記登録者の存在が特定された際、該特定された前記登録者に関する通知の指定がなされた通知者を抽出する通知先抽出部と、  少なくとも特定された前記登録者と抽出された前記通知者との位置関係が設定さる条件を満たす間、最新の前記位置関係に関する情報を含めて、抽出された前記通知者の携帯機器に継続的な通知を行う通知者連絡部とを備える、ことを特徴とする。
【０００６】
本発明の第２の態様によれば、通知方法は、登録者を特定するために登録された情報と、撮影装置からの情報とを用いた個人認証により前記登録者の存在が特定された際、該特定された前記登録者に関する通知の指定がなされた通知者を抽出し、少なくとも特定された前記登録者と抽出された前記通知者との位置関係が設定さる条件を満たす間、最新の前記位置関係に関する情報を含めて、抽出された前記通知者の携帯機器に継続的な通知を行う、ことを特徴とする。
【０００７】
本発明の第３の態様によれば、通知用コンピュータプログラムは、登録者を特定するために登録された情報と、撮影装置からの情報とを用いた個人認証により前記登録者の存在が特定された際、該特定された前記登録者に関する通知の指定がなされた通知者を抽出し、少なくとも特定された前記登録者と抽出された前記通知者との位置関係が設定さる条件を満たす間、最新の前記位置関係に関する情報を含めて、抽出された前記通知者の携帯機器に継続的な通知を行うことをコンピュータに実行させる、ことを特徴とする。
【発明の効果】
【０００８】
これにより、携帯電話等を所持していない特定の者との遭遇を他の者が望まない場合、特定の者の接近を他の者に通知することができる、という効果が得られる。
【図面の簡単な説明】
【０００９】
【図１】本発明の一実施形態による通知システムが用いられる装置構成の概要を示す図である。
【図２】本発明の一実施形態による通知システムの機能ブロック図である。
【図３】本発明の一実施形態による通知システムのハードウェア構成を示す図である。
【図４】本発明の一実施形態による通知システムの処理フローを示す図である。
【図５】本発明の一実施形態による通知システムにおける動作の一例を説明するための図である。
【図６】本発明の一実施形態による通知システムによる通知者への通知内容の一例を示す図である。
【図７】本発明の一実施形態による通知システムによる通知者への通知内容の一例を示す図である。
【図８】本発明の一実施形態による通知システムによる通知者への通知内容の一例を示す図である。
【図９】本発明の一実施形態による通知システムによる警備者への通知内容の一例を示す図である。
【図１０】本発明の一実施形態による通知システムによる警備者への通知内容の一例を示す図である。
【図１１】本発明の一実施形態による通知システムの最小構成図を示す図である。
【発明を実施するための形態】
【００１０】
以下、本発明の一実施形態による通知システムについて図面を参照して説明する。図１は本発明の一実施形態による通知システムが用いられる装置構成の概要を示す図である。図１において、符号１は通知システムを、符号２は撮影装置を、符号３は通知者の所有する携帯機器を、符号４は警備者の所有する機器を、符号５はネットワークを示す。ここで、「通知者」とは、通知システム１による通知を受けるよう、通知システム１に登録された者をいう。「登録者」とは、通知者との関係で通知システム１に登録された者で「通知者」が「登録者」との遭遇や接近を望まない者をいう。一例として、「登録者」は、つきまとい、ＤＶ（Domestic Violence）、逆恨み等を行った迷惑行為者であり、「通知者」は登録者による迷惑行為から逃れようとしている者である。「警備者」とは、通知者が登録者による迷惑行為を受けそうになった際、登録者の通知者への接近の状況の通知を受ける者である。「警備者」の一例としては、「通知者」の知人、親族、警備会社、警察等となるが、これに限定されるものではない。
【００１１】
通知システム１は、撮影装置２からの情報を用いた個人認証により登録者の存在が特定された際、所定の条件を満たす間、登録者に対応する通知者にリアルタイムで通知者と登録者の位置関係に関する情報を含めて、通知者の携帯機器３に継続的な通知を行う。
【００１２】
撮影装置２は、人物の画像、映像を撮影するための装置である。撮影装置２としては、道路、店先、屋内などに設置される防犯カメラ、センサ、さらには、衛星カメラ等である。携帯機器３は、通知者が携帯可能な機器で、携帯電話、スマートフォン等の電子デバイスである。機器４は、警備者が所有する機器で、パーソナルコンピュータ、スマートフォン等である。ネットワーク５は、機器を接続する有線、無線を含む通信環境を示す。通知システム１、撮影装置２、携帯機器３、機器４は、ネットワーク５を介して接続される。
【００１３】
図２は、本発明の一実施形態による通知システム１の機能ブロック図である。通知システム１は、登録者特定部１１、通知先抽出部１２、登録者位置決定部１３、通知者特定部１４、通知者位置決定部１５、通知者連絡部１６、警備者連絡部１７、記憶部２０を備える。
【００１４】
記憶部２０は、登録者情報２１、通知者情報２２、関連付情報２３、警備者情報２４、撮影装置情報２５を記憶する。
【００１５】
登録者情報２１は、通知者への迷惑行為を回避するために登録された登録者に関する情報である。登録者情報２１としては、登録者を顔認証、虹彩認証、歩容認証のいずれか、あるいは、これら認証のうちの複数の認証を実行するための個人認証情報を含む。「顔認証」とは、個人の顔の画像にパターン認識技術を応用して個人を認証する技術である。「虹彩認証」とは、個人の目の虹彩の画像にパターン認識技術を応用して個人を認証する技術である。「歩容認証」とは、姿勢の違いや歩幅の違い、腕の振りの大小、肩掛け鞄などを決まった側で持つことによって習慣付いた動きの左右非対称性などの特徴を使いて個人を認証する技術である。登録者情報２１には、１人または複数の登録者に関する個人情報が含まれる。なお、本実施の形態で用いる認証は、撮影装置２にて撮影された画像、映像を用いて個人の特定が可能な認証技術であればいずれであってもよい。
【００１６】
通知者情報２２は、登録者に関する通知対象となる通知者の情報であり、通知者の携帯機器３の電話番号、メールアドレス等、通知者の携帯機器３に通知を行うための情報を含む。さらに、通知者情報２２は、登録者を顔認証、虹彩認証、歩容認証のいずれか、あるいは、これら認証のうちの複数の認証を実行するための個人認証情報を含んでもよい。通知者情報２２には、１人または複数の通知者に関する個人情報が含まれる。
【００１７】
関連付情報２３は、通知者と登録者を関連付ける情報である。例えば、登録者Ａに関する通知は通知者Ａに、登録者Ｂ、Ｃに関する通知は通知者Ｂにといった、登録者に対して通知を行う通知者を紐づける情報である。関連付情報２３は、警備者が通知者の親族や知人の場合、通知者と警備者とを関連付ける情報も含む。
【００１８】
警備者情報２４は、警備者への通知のために必要となる情報であり、警備者の機器４の電話番号、メールアドレス等、警備者の機器４に通知を行うための情報を含む。また、警備者が警備会社や警察の場合、警備会社や警察の所在位置を示す情報も含む。
【００１９】
撮影装置情報２５は、撮影装置の識別情報や設置位置に関する情報を含む。
【００２０】
登録者特定部１１は、登録者情報２１の情報と撮影装置２からの画像または映像に関する情報とを用いた個人認証により、撮影装置２による画像または映像に登録者が存在するか特定する処理を行う。
通知先抽出部１２は、登録者特定部１１によりいずれかの登録者の存在が特定された際、関連付情報２３を用いて、特定された登録者に関する通知の指定がなされた通知者を抽出する処理を行う。
登録者位置決定部１３は、撮影装置情報２５を用いて、登録者特定部１１により特定された登録者を撮影した撮影装置２の設置位置を求める。登録者位置決定部１３は、さらに、求めた撮影装置２の設置位置を登録者特定部１１で特定された登録者の位置とする処理を行う。
【００２１】
通知者特定部１４は、通知者情報２２の情報と、撮影装置２からの画像または映像に関する情報とを用いた個人認証により、撮影装置２画像または映像に通知者が存在するか特定する処理を行う。
通知者位置決定部１５は、撮影装置情報２５を用いて、通知者特定部１４により特定された通知者を撮影した撮影装置２の設置位置を求める。通知者位置決定部１５は、さらに、求めた撮影装置２の設置位置を通知者特定部１４で特定された通知者の位置とする処理を行う。
【００２２】
なお、撮影装置２が衛星カメラである場合、登録者位置決定部１３は、衛星カメラからの画像または映像により、登録者が特定された際、画像または映像内にて登録者が特定された位置を検出することで、登録者の位置を特定する。同様に、撮影装置２が衛星カメラである場合、通知者位置決定部１５は、衛星カメラからの画像または映像により、通知者が特定された際、画像または映像内にて通知者が特定された位置を検出することで、通知者の位置を特定する。
【００２３】
通知者連絡部１６は、登録者位置決定部１３で求めた登録者の位置と、通知者位置決定部１５で求めた通知者の位置との位置関係が、予め設定さる条件を満たすか判断する。通知者連絡部１６は、登録者と通知者の位置関係が予め設定さる条件を満たす際、最新の登録者と通知者の位置関係に関する情報を含めて、抽出された通知者の携帯機器３に継続的な通知を行う処理を行う。通知者連絡部１６は、登録者と通知者の位置関係が設定さる条件を満たさなくなった後で、かつ、登録者と通知者の位置関係が設定さる条件を満たさない期間が定められた期間継続した後に、通知者の携帯機器３への継続的な通知を終了する。
【００２４】
警備者連絡部１７は、警備者情報２４を参照することで警備者の通知のための情報を求め、通知者連絡部１６が通知者の携帯機器３に通知を行っている間、警備者の機器４に通知を行う処理を行う。警備者連絡部１７は、通知者連絡部１６による通知者の携帯機器３に対する通知において、携帯機器３からの応答がない場合、警告情報を警備者の機器４に緊急を通知する処理をさらに行う。「警告情報」とは、緊急に対処すべき状況であることを通知する情報である。通知対象となる警備者は、一例として、関連付情報２３にて通知者連絡部１６が通知する通知者と関連付けられた警備者（例えば、親族や知人）、または、通知者位置決定部１５で特定される通知者の位置に近い警察や警備会社となる。
【００２５】
図３は本発明の一実施形態による通知システム１のハードウェア構成を示す図である。通知システム１は、ＣＰＵ（Central Processing Unit）３１、ＲＯＭ（Read Only Memory）３２、ＲＡＭ（Random Access Memory）３３、ＨＤＤ（Hard Disk Drive）３４、入出力装置３５、通信モジュール３６を備える。
ＣＰＵ３１は、ＲＯＭ３２またはＨＤＤ３４等の記録媒体に記憶されるプログラムを実行することで、通知システム１の各機能を実現する。
ＨＤＤ３４には、通知システム１の機能を実現するため必要となるデータ等も記憶する。
【００２６】
入出力装置３５は、キーボード、マウス、表示装置等の機器である。
通信モジュール３６は、ネットワーク５へ接続して、通信の制御を行うモジュールである。通信モジュール３６は、ネットワーク５を介して撮影装置２から画像または映像を取得する、または、通知者の携帯機器３、警備者の機器４との通信を行うため使用される。
【００２７】
図４は、本発明の一実施形態による通知システム１の処理フローを示す図である。通知システム１の動作について処理フローを追って説明する。以下の説明において、図２の関連付情報２３において、「登録者Ａ」に対して「通知者Ａ」が登録され、「通知者Ａ」への通知を行う際の警備者として「警察」が登録されているものとする。
【００２８】
登録者特定部１１は、登録者情報２１の情報と撮影装置２からの画像または映像に関する情報とを用いた個人認証により、撮影装置２による画像または映像に登録者が存在するか特定する（ステップＳ４１）。ここでは、登録者特定部１１により「登録者Ａ」が特定されたものとする。
【００２９】
通知先抽出部１２は、登録者特定部１１により、いずれかの登録者の存在が特定された際、関連付情報２３を用いて、特定された登録者に関する通知の指定がなされた通知者を抽出する処理を行う（ステップＳ４２）。登録者特定部１１により「登録者Ａ」が特定されたことから、通知先抽出部１２は、関連付情報２３から、「登録者Ａ」と関連付けられた「通知者Ａ」を抽出する。
【００３０】
登録者位置決定部１３は、撮影装置情報２５を用いて、登録者特定部１１により特定された登録者を撮影した撮影装置２の設置位置を求める。そして、登録者位置決定部１３は、求めた撮影装置２の設置位置を登録者特定部１１で特定された登録者の位置とする（ステップＳ４３）。図５は、「登録者Ａ」と「通知者Ａ」との位置関係の一例を示す図である。図５において、「登録者Ａ」は撮影装置２ａで撮影された画像または映像から特定された者とする。この場合、ステップＳ４２による「登録者Ａ」の位置は、撮影装置２ａの位置とされる。なお、撮影装置２aに関する情報は、撮影装置情報２５に登録されているものとする。または、撮影装置２ａが自己の設置されている位置に関する情報を合わせて送信できる場合、登録者位置決定部１３は、そのような情報を用いて撮影装置２ａの設置位置を求めてもよい。
【００３１】
通知者特定部１４は、通知者情報２２の情報と、撮影装置２からの画像または映像に関する情報とを用いた個人認証により、撮影装置２により撮影された画像または映像に通知者が存在するかを特定する処理を行う（ステップＳ４３）。図５の例において、通知者特定部１４が「通知者Ａ」の特定のための処理を行う際、ステップＳ４３で求めた「登録者Ａ」の位置を中心として符号５１で示す所定の範囲内にある撮影装置２からの画像・映像を基に「登録者Ａ」が存在するかの特定を行ってもよい。この場合の所定の範囲５１は、後に説明するステップＳ４７の処理で用いる登録者と通知者との位置関係から通知をするための条件を考慮して設定するとよい。
【００３２】
ステップＳ４４にて、通知対象となる通知者が特定された場合、通知者位置決定部１５は、撮影装置情報２５を用いて、ステップＳ４３により特定された通知者を撮影した撮影装置２の設置位置を求める。続いて、通知者位置決定部１５は、求めた撮影装置２の設置位置を通知者特定部１４で特定された通知者の位置とする（ステップＳ４５）。図５の例において、「通知者Ａ」は撮影装置２ｂで撮影された画像または映像から特定されたものとする。この場合、ステップＳ４４による「通知者Ａ」の位置は、撮影装置２ｂの位置とされる。なお、撮影装置２ｂに関する情報は、撮影装置情報２５に登録されているものとする。または、撮影装置２ｂが自己の設置されている位置に関する情報を合わせて送信できる場合、通知者位置決定部１５は、そのような情報を用いて撮影装置２ｂの設置位置を求めてもよい。
【００３３】
通知者連絡部１６は、ステップＳ４３で求めた登録者の位置と、ステップＳ４５で求めた通知者の位置との位置関係を求める（ステップＳ４６）。
【００３４】
通知者連絡部１６は、ステップＳ４６で求めた登録者と通知者の現在の位置関係が、予め設定さる条件を満たすか判断する（ステップＳ４７）。ここで、「予め設定さる条件」とは、一例として、ステップＳ４３で求めた登録者の位置とステップＳ４５で求めた通知者の位置と間の直線距離についての所定のしきい値とする。「予め設定さる条件」の別の例としては、登録者が通知者の位置まで道路や通路に沿って移動する際の最短距離とについての所定のしきい値としてもよい。なお、「予め設定さる条件」としては、これらに限定されるものではない。
【００３５】
また、「予め設定さる条件」として、上記の距離に関するしきい値を満たした後に、
１）上記の距離に関するしきい値を満たなさくなった状態で；かつ
２）１）の満たさない状態が所定時間経過を経過していないか
という条件をさらに追加してもよい。
【００３６】
通知者連絡部１６は、予め設定さる条件を満たすと判断した際（ステップＳ４７：Ｙｅｓ）、通知者情報２２を参照することにより、通知者の携帯機器３へのアクセス情報を取得し、通知者へ登録者が近くにいることを通知する（ステップＳ４８）。図６は、通知者連絡部１６による「通知者Ａ」への通知により、「通知者Ａ」の携帯機器３に表示される通知画面の一例を示す。
【００３７】
更にステップＳ４８において、通知者連絡部１６は、ステップＳ４６で求めた位置関係に関する情報を含めて、抽出された通知者の携帯機器３に通知を行う。図７は、通知者連絡部１６による「通知者Ａ」への通知により「通知者Ａ」の携帯機器３に表示される位置関係に関する情報を含めた通知の一例を示す。なお、地図情報は、通知システム１が備えるか、ネットワーク５を介して他のシステムから取得する。
【００３８】
警備者連絡部１７は、必要に応じて、関連付情報２３を参照し、通知者に関連付けられた警備者を特定し、警備者情報２４を用いて特定される警備者の機器４への通知のための情報を取得する。そして、警備者連絡部１７は、通知者連絡部１６が通知者の携帯機器３に通知を行っている間、特定した警備者の機器４に通知を行う処理を行う（ステップＳ４９）。ここでの例では、「通知者Ａ」に関連付けられた警備者は、警察である。警備者が警察である場合、警備者連絡部１７は、警備者情報２４を参照し、ステップS４５で求めた「通知者Ａ」の位置までの距離が近い警察を特定する。そして、警備者連絡部１７は、警備者情報２４を参照し、特定した警察の機器４へのアクセス情報を取得して、特定した警察の機器４に、「登録者Ａ」と「通知者Ａ」とが接近していることを通知する。なお、警備者連絡部１７は、警備者が警備会社である場合も、警察の場合と同様の処理を行う。図９は、警察の機器４に、「登録者Ａ」と「通知者Ａ」とが接近していることを通知した際の機器４での表示例である。
【００３９】
ステップＳ４９において、警備者連絡部１７は、通知者連絡部１６による通知者の携帯機器３に対する通知に対して携帯機器３からの応答の有無を判断し、応答が無いと判断した場合、警告情報を警備者の機器４に通知する処理をさらに行ってもよい。これにより、警備者は通知者が通知システム１からの通知に気づいていない可能性があることを認識できる。なお、通知システム１において、ステップ４８による通知を受けた通知者は、通知の確認の応答を通知システム１に対して行うものとする。図１０は、警察の機器４に、「登録者Ａ」と「通知者Ａ」とが接近し、かつ、「通知者Ａ」が通知システム１からの通知に応答していないことを通知した際の警備者の機器４での表示例である。
【００４０】
通知システム１は、ステップ４９の処理が終わると、ステップＳ４２で抽出した登録者に最新の位置関係の情報（リアルタイムの情報）を継続的に送り続けるために、ステップＳ４３に戻る。
【００４１】
ステップＳ４７にて、ステップＳ４２で抽出した登録者への通知のための条件を満たさなくなったと判断すると（ステップＳ４７：Ｎｏ）、通知者連絡部１６は、登録者の携帯機器３へ、通知を解除する旨の通知を行う（ステップＳ５０）。その後、通知システム１は、登録者の特定がなされるか処理を継続するために、処理をステップＳ４１に戻す。図８は、通知者連絡部１６により、「通知者Ａ」の携帯機器３に対して、通知の解除を通知した場合における、携帯機器３での表示例を示す。
【００４２】
なお、撮影装置２が衛星カメラである場合、ステップＳ４３において、登録者位置決定部１３は、衛星カメラからの画像または映像により、登録者が特定された際、画像または映像内にて登録者が特定された位置を検出することで、登録者の位置を特定する。同様に、ステップＳ４５において、撮影装置２が衛星カメラである場合、通知者位置決定部１５は、衛星カメラからの画像または映像により、通知者が特定された際、画像または映像内にて通知者が特定された位置を検出することで、通知者の位置を特定する。
【００４３】
以上のようにして、通知システム１は、登録者と通知者との遭遇を回避するために、所定の条件を満たす際、通知者への通知を行う。これにより、登録者が携帯電話等を所持していななくとも、通知者に登録者の接近を通知することができるようになる。また、通知システム１は、所定の条件を満たす間、最新の登録者と通知者との位置関係に関する情報を含めて、通知者の携帯機器３に継続的な通知を行うことから、通知者は受けた情報を確認しつつ、登録者から離れるよう移動することができる。これにより、通知者は、登録者との遭遇を回避することができる。
【００４４】
なお、図４に示す通知システム１の処理フローは、撮影装置２からの画像・映像により特定された登録者毎に、通知者への通知のための並列的な処理を行うようにすることが好ましい。
【００４５】
例えば、接近禁止命令を受けたつきまとい等の加害者を「登録者」として通知システム１に登録するとともに、その被害者を「通知者」として登録することで、被害者は、加害者との遭遇を未然に防げることができる。さらに、警察を「警備者」とすることで、被害者が加害者と遭遇してしまった場合や、被害者本人が加害者の接近に気づいていない場合でも、通知システム１は警察に通知するので、遭遇によるトラブルを最小限にすることができる。このように、通知システム１は、つきまとい等の回避、事故の未然防止のためのシステムとして利用可能である。
【００４６】
なお、図４のステップＳ４５において、通知者位置決定部１５は通知者の位置の決定を、ステップＳ４４で用いた画像・映像を撮影した撮影装置２の位置を用いるものとした。しかし、これに限定されるものではない。例えば、通知者の携帯機器３に専用のアプリを設定する。この専用のアプリは、所定の条件を満たす場合に、携帯機器３の位置を通知システム１に通知する機能を備えるものとする。この場合、通知者位置決定部１５は通知された位置を通知者の位置として決定してもよい。ここで、「所定の条件」は、一例として、一定時間が経過する毎とする。あるいは、「所定の条件」は、別のとしてステップＳ４２で通知者が抽出された際、抽出された通知者の携帯機器３への通知システム１からの問い合わせを受けた際とする。このような場合、ステップＳ４４での通知者特定部１４による撮影装置２で撮影された画像・映像を用いた通知者の特定処理を省略することができる。
【００４７】
一実施の形態として、「登録者」は迷惑行為者であり、「通知者」は登録者による迷惑行為から逃れようとしている者としたが、これに限定されるものではない。「通知者」が特定の人物との接触を避けようとする場合、その人物を「登録者」としてもよい。
【００４８】
図１１は、本発明の一実施形態による通知システム１の最小構成図を示す図である。通知システム１は、通知先抽出部１２と、通知者連絡部１６とを備える。
通知先抽出部１２は、登録者を特定するために登録された情報と、撮影装置２からの情報とを用いた個人認証により登録者の存在が特定された場合、特定された登録者に関する通知の指定がなされた通知者を抽出する。
通知者連絡部１６は、少なくとも特定された前記登録者と抽出された前記通知者との位置関係が設定さる条件を満たす間、最新の位置関係に関する情報を含めて、抽出された通知者の携帯機器３に継続的な通知を行う。
【００４９】
なお、図２における各処理部の機能を実現するためのプログラムをコンピュータ読み取り可能な記録媒体に記録して、この記録媒体に記録されたプログラムをコンピュータシステムに読み込ませ、実行することにより通知のための処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００５０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５１】
１・・・通知システム
２、２ａ、２ｂ・・・撮影装置
３・・・携帯機器
４・・・機器
５・・・ネットワーク
１１・・・登録者特定部
１２・・・通知先抽出部
１３・・・登録者位置決定部
１４・・・通知者特定部
１５・・・通知者位置決定部
１６・・・通知者連絡部
１７・・・警備者連絡部
２０・・・記憶部
２１・・・登録者情報
２２・・・通知者情報
２３・・・関連付情報
２４・・・警備者情報
２５・・・撮影装置情報
【図１】
2020170234.tif 000003
【図２】
2020170234.tif 000004
【図３】
2020170234.tif 000005
【図４】
2020170234.tif 000006
【図５】
2020170234.tif 000007
【図６】
2020170234.tif 000008
【図７】
2020170234.tif 000009
【図８】
2020170234.tif 000010
【図９】
2020170234.tif 000011
【図１０】
2020170234.tif 000012
【図１１】
2020170234.tif 000013
【手続補正書】
【提出日】令和2年2月5日(2020.2.5)
【手続補正１】
【補正対象書類名】特許請求の範囲
【補正対象項目名】請求項５
【補正方法】変更
【補正の内容】
【請求項５】
前記登録者特定部および前記通知者特定部における個人認証は、顔認証、歩容認証、虹彩認証の１つまたは複数の認証技術である
請求項４に記載の通知システム。
【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
登録者を特定するために登録された情報と、撮影装置からの情報とを用いた個人認証により前記登録者の存在が特定された際、該特定された前記登録者に関する通知の指定がなされた通知者を抽出する通知先抽出部と、
少なくとも特定された前記登録者と抽出された前記通知者との位置関係が設定さる条件を満たす間、最新の前記位置関係に関する情報を含めて、抽出された前記通知者の携帯機器に継続的な通知を行う通知者連絡部と
を備え、
前記通知者連絡部は、前記通知者の携帯機器に通知を行っている間、前記登録者、前記通知者以外の警備者の機器に通知を行う警備者連絡部
を備え、
前記警備者連絡部は、前記通知者の位置に基づき通知を行う警備者を決定し、前記通知者連絡部による前記通知者の携帯機器に対する通知において該携帯機器からの応答がない場合、警告情報を前記警備者の機器に通知する
通知システム。
【請求項２】
前記通知者連絡部は、前記位置関係が設定さる条件を満たさなくなった後で、かつ、前記位置関係が設定さる条件を満たさない期間が定められた期間継続した後に、前記抽出された前記通知者の携帯機器への継続的な通知を終了する
請求項１に記載の通知システム。
【請求項３】
前記通知システムは、
前記登録者を特定するために登録された登録者情報と、撮影装置からの情報とを用いた個人認証により前記登録者の存在を特定する登録者特定部と、
前記登録者特定部により特定された前記登録者を撮影した前記撮影装置の位置に基づき、特定された前記登録者の位置の決定を行う登録者位置決定部と、
前記通知者の位置の決定を行う通知者位置決定部と
をさらに備え、
前記通知者連絡部は、前記登録者位置決定部により決定された前記登録者の位置と、前記通知者位置決定部により決定された前記通知者の位置とを用いて、前記位置関係を求める
請求項１または請求項２のいずれかに記載の通知システム。
【請求項４】
前記通知システムは、
前記通知者を特定するために登録された通知者情報と、撮影装置からの情報とを用いた個人認証により前記通知者の存在を特定する通知者特定部
をさらに備え、
前記通知者位置決定部は、前記通知者特定部により特定された前記通知者を撮影した撮影装置の位置に基づき、特定された前記通知者の位置の決定を行う
請求項３に記載の通知システム。
【請求項５】
前記登録者特定部および前記通知者特定部における個人認証は、顔認証、歩容認証、虹彩認証の１つまたは複数の認証技術である
請求項４に記載の通知システム。
【請求項６】
登録者を特定するために登録された情報と、撮影装置からの情報とを用いた個人認証により前記登録者の存在が特定された際、該特定された前記登録者に関する通知の指定がなされた通知者を抽出するステップと、
少なくとも特定された前記登録者と抽出された前記通知者との位置関係が設定さる条件を満たす間、最新の前記位置関係に関する情報を含めて、抽出された前記通知者の携帯機器に継続的な通知を行うステップと
を含み、
前記通知を行うステップは、前記通知者の携帯機器に通知を行っている間、前記登録者、前記通知者以外の警備者の機器に通知を行う警備者連絡ステップ
を含み、
前記警備者連絡ステップは、前記通知者の位置に基づき通知を行う警備者を決定し、前記通知を行うステップによる前記通知者の携帯機器に対する通知において該携帯機器からの応答がない場合、警告情報を前記警備者の機器に通知する
通知方法。
【請求項７】
登録者を特定するために登録された情報と、撮影装置からの情報とを用いた個人認証により前記登録者の存在が特定された際、該特定された前記登録者に関する通知の指定がなされた通知者を抽出するステップと、
少なくとも特定された前記登録者と抽出された前記通知者との位置関係が設定さる条件を満たす間、最新の前記位置関係に関する情報を含めて、抽出された前記通知者の携帯機器に継続的な通知を行うステップと
を含み、
前記通知を行うステップは、前記通知者の携帯機器に通知を行っている間、前記登録者、前記通知者以外の警備者の機器に通知を行う警備者連絡ステップ
を含み、
前記警備者連絡ステップは、前記通知者の位置に基づき通知を行う警備者を決定し、前記通知を行うステップによる前記通知者の携帯機器に対する通知において該携帯機器からの応答がない場合、警告情報を前記警備者の機器に通知する
ことをコンピュータに実行させるための通知用コンピュータプログラム。
【手続補正２】
【補正対象書類名】明細書
【補正対象項目名】０００５
【補正方法】変更
【補正の内容】
【０００５】
本発明の第１の態様によれば、通知システムは、登録者を特定するために登録された情報と、撮影装置からの情報とを用いた個人認証により前記登録者の存在が特定された際、該特定された前記登録者に関する通知の指定がなされた通知者を抽出する通知先抽出部と、少なくとも特定された前記登録者と抽出された前記通知者との位置関係が設定さる条件を満たす間、最新の前記位置関係に関する情報を含めて、抽出された前記通知者の携帯機器に継続的な通知を行う通知者連絡部とを備え、前記通知者連絡部は、前記通知者の携帯機器に通知を行っている間、前記登録者、前記通知者以外の警備者の機器に通知を行う警備者連絡部を備え、前記警備者連絡部は、前記通知者の位置に基づき通知を行う警備者を決定し、前記通知者連絡部による前記通知者の携帯機器に対する通知において該携帯機器からの応答がない場合、警告情報を前記警備者の機器に通知する、ことを特徴とする。
【手続補正３】
【補正対象書類名】明細書
【補正対象項目名】０００６
【補正方法】変更
【補正の内容】
【０００６】
本発明の第２の態様によれば、通知方法は、登録者を特定するために登録された情報と、撮影装置からの情報とを用いた個人認証により前記登録者の存在が特定された際、該特定された前記登録者に関する通知の指定がなされた通知者を抽出するステップと、少なくとも特定された前記登録者と抽出された前記通知者との位置関係が設定さる条件を満たす間、最新の前記位置関係に関する情報を含めて、抽出された前記通知者の携帯機器に継続的な通知を行うステップとを含み、前記通知を行うステップは、前記通知者の携帯機器に通知を行っている間、前記登録者、前記通知者以外の警備者の機器に通知を行う警備者連絡ステップを含み、前記警備者連絡ステップは、前記通知者の位置に基づき通知を行う警備者を決定し、前記通知を行うステップによる前記通知者の携帯機器に対する通知において該携帯機器からの応答がない場合、警告情報を前記警備者の機器に通知する、ことを特徴とする。
【手続補正４】
【補正対象書類名】明細書
【補正対象項目名】０００７
【補正方法】変更
【補正の内容】
【０００７】
本発明の第３の態様によれば、通知用コンピュータプログラムは、登録者を特定するために登録された情報と、撮影装置からの情報とを用いた個人認証により前記登録者の存在が特定された際、該特定された前記登録者に関する通知の指定がなされた通知者を抽出するステップと、少なくとも特定された前記登録者と抽出された前記通知者との位置関係が設定さる条件を満たす間、最新の前記位置関係に関する情報を含めて、抽出された前記通知者の携帯機器に継続的な通知を行うステップとを含み、前記通知を行うステップは、前記通知者の携帯機器に通知を行っている間、前記登録者、前記通知者以外の警備者の機器に通知を行う警備者連絡ステップを含み、前記警備者連絡ステップは、前記通知者の位置に基づき通知を行う警備者を決定し、前記通知を行うステップによる前記通知者の携帯機器に対する通知において該携帯機器からの応答がない場合、警告情報を前記警備者の機器に通知することをコンピュータに実行させる、ことを特徴とする。